(57)【要約】【課題】  投写面（基準面）を有効に利用することを可能とする投写型映像表示装置を提供する。【解決手段】  投写型映像表示装置１００は、光源１０から出射される光を変調するDMD７０と、DMD７０から出射される光を投写面上に投写する投写光学系１１０とを収容する筐体２００を備えており、基準面上に配置される。投写型映像表示装置１００は、投写面上に投写される映像を調整する調整部３４０を備える。投写面上に投写される映像は、筐体に最も近い側に設けられた近接辺を含む。調整部３４０は、近接辺を基準として、投写面上に投写される映像のズームを調整する。【選択図】  図４
2011248271.tif 000002
【特許請求の範囲】
【請求項１】
光源から出射される光を変調する光変調素子と、前記光変調素子から出射される光を投写面上に投写する投写光学系とを収容する筐体を備えており、基準面上に配置される投写型映像表示装置であって、
前記投写面上に投写される映像を調整する調整部を備え、
前記投写面上に投写される映像は、前記筐体に最も近い側に設けられた近接辺を含み、
前記調整部は、前記近接辺を基準として、前記投写面上に投写される映像のズームを調整することを特徴とする投写型映像表示装置。
【請求項２】
前記調整部は、前記投写面上に投写される映像の向きを回転することを特徴とする請求項１に記載の投写型映像表示装置。
【請求項３】
前記投写面上に投写される映像は、前記近接辺の両端に隣接する１対の隣接辺を含み、
前記調整部は、前記近接辺に加えて、前記１対の隣接辺のうち、いずれか一方の隣接辺を基準として、前記投写面上に投写される映像のズームを調整することを特徴とする請求項１に記載の投写型映像表示装置。
【請求項４】
前記投写面上に設定された特定領域を検出範囲として、前記特定領域における光の遮光を検出する検出部をさらに備え、
前記検出部は、前記投写面上に投写される映像のズームの調整と連動して、前記検出範囲を調整することを特徴とする請求項１に記載の投写型映像表示装置。
【発明の詳細な説明】
【技術分野】
【０００１】
本発明は、光源から出射される光を変調する光変調素子と、光変調素子から出射される光を投写面上に投写する投写光学系とを備える投写型映像表示装置に関する。
【背景技術】
【０００２】
従来、光源から出射される光を変調する光変調素子と、光変調素子から出射される光を投写面上に投写する投写光学系とを備える投写型映像表示装置が知られている。
【０００３】
ところで、投写型映像表示装置は、投写面上に投写される映像の拡大又は縮小を行う機能（以下、ズーム機能）を有する。一般的には、投写型映像表示装置は、投写面上に投写される映像の中心位置を基準として、中心位置を変えずに映像のズーム機能を実現する（例えば、特許文献１）。
【先行技術文献】
【特許文献】
【０００４】
【特許文献１】特開平８−２３５０２号公報
【発明の概要】
【発明が解決しようとする課題】
【０００５】
ところで、近年では、机などの基準面上に配置するタイプの投写型映像表示装置が提案されている。投写型映像表示装置は、基準面と平行な投写面上に光を投写する。
【０００６】
このような投写型映像表示装置では、机などの基準面が投写面として用いられることがあり、限られたスペースに映像を投写する必要がある。すなわち、投写面のサイズが制約を受ける。
【０００７】
従って、上述したように、投写面上に投写される映像の中心位置を基準として、中心位置を変えずに映像のズーム機能が実現されると、投写型映像表示装置に近い側においてデッドスペースが生じてしまい、投写面（基準面）が有効に利用されない。
【０００８】
そこで、本発明は、上述した課題を解決するためになされたものであり、投写面（基準面）を有効に利用することを可能とする投写型映像表示装置を提供することを目的とする。
【課題を解決するための手段】
【０００９】
第１の特徴に係る投写型映像表示装置は、光源（光源１０）から出射される光を変調する光変調素子（DMD７０）と、前記光変調素子から出射される光を投写面上に投写する投写光学系（投写光学系１１０）とを収容する筐体（筐体２００）を備えており、基準面上に配置される。投写型映像表示装置は、前記投写面上に投写される映像を調整する調整部（調整部３４０）を備える。前記投写面上に投写される映像は、前記筐体に最も近い側に設けられた近接辺を含む。前記調整部は、前記近接辺を基準として、前記投写面上に投写される映像のズームを調整する。
【００１０】
第１の特徴において、前記調整部は、前記投写面上に投写される映像の向きを回転する。
【００１１】
第１の特徴において、前記投写面上に投写される映像は、前記近接辺の両端に隣接する１対の隣接辺を含む。前記調整部は、前記近接辺に加えて、前記１対の隣接辺のうち、いずれか一方の隣接辺を基準として、前記投写面上に投写される映像のズームを調整する。
【００１２】
第１の特徴において、投写型映像表示装置は、前記投写面上に設定された特定領域を検出範囲として、前記特定領域における光の遮光を検出する検出部（検出部３６０）をさらに備える。前記検出部は、前記投写面上に投写される映像のズームの調整と連動して、前記検出範囲を調整する。
【発明の効果】
【００１３】
本発明によれば、投写面（基準面）を有効に利用することを可能とする投写型映像表示装置を提供することができる。
【図面の簡単な説明】
【００１４】
【図１】第１実施形態に係る投写型映像表示装置１００の概略構成を示す図である。
【図２】第１実施形態に係る投写型映像表示装置１００の概略構成を示す図である。
【図３】第１実施形態に係る投写型映像表示装置１００の光学構成を説明するための図である。
【図４】第１実施形態に係る制御ユニット３００を示すブロック図である。
【図５】第１実施形態に係るズームの調整例を説明するための図である。
【図６】第１実施形態に係るズームの調整例を説明するための図である。
【図７】第１実施形態に係るズームの調整例を説明するための図である。
【発明を実施するための形態】
【００１５】
以下において、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る投写型映像表示装置は、光源から出射される光を変調する光変調素子と、光変調素子から出射される光を投写面上に投写する投写光学系とを収容する筐体を備えており、基準面上に配置される。投写型映像表示装置は、投写面上に投写される映像を調整する調整部を備える。投写面上に投写される映像は、筐体に最も近い側に設けられた近接辺を含む。調整部は、近接辺を基準として、投写面上に投写される映像のズームを調整する。
【００１８】
実施形態では、調整部は、筐体に最も近い側に設けられた近接辺を基準として、投写面上に投写される映像のズームを調整する。従って、投写型映像表示装置（筐体）に近い側においてデッドスペースが生じることを抑制して、投写面（基準面）を有効に利用することができる。
【００１９】
［第１実施形態］
（投写型映像表示装置の概略構成）
以下において、第１実施形態に係る投写型映像表示装置の概略構成について、図面を参照しながら説明する。図１は、第１実施形態に係る投写型映像表示装置１００（床面投写）を示す図である。図２は、第１実施形態に係る投写型映像表示装置１００（壁面投写）を示す図である。
【００２０】
図１及び図２に示すように、投写型映像表示装置１００は、筐体２００を有しており、投写面（不図示）に映像を投写する。筐体２００には、後述する投写光学系１１０から出射される光を透過する透過領域２１０が設けられる。
【００２１】
ここで、投写面は、図１に示すように、床面や机上などの水平面に設けられていてもよく、図２に示すように、壁面などの垂直面（例えば、スクリーン）に設けられてもよい。すなわち、投写型映像表示装置１００は、映像光を床面や机上などの水平面に投写するように配置されてもよく、映像光を壁面などの垂直面に投写するように配置されてもよい。
【００２２】
図１に示すケースでは、略直方体の筐体２００が有する面のうち、第１の面２２０が、床面などの基準面と対向する底面を構成する。一方で、図２に示すケースでは、略直方体の筐体２００が有する面のうち、第２の面２３０が、床面などの基準面と対向する底面を構成する。なお、図２に示すケースにおいて、投写面と略平行な面（壁面など）に当接するように筐体２００が配置される場合には、投写面と略平行な面が基準面であると捉えて、第１の面２２０を底面と考えてもよい。
【００２３】
ここで、第１の面２２０は、長い投写距離を確保するために、略直方体の筐体２００が有する面のうち、透過領域２１０から最も離れた面であることに留意すべきである。また、第２の面２３０は、略直方体の筐体２００が有する面のうち、透過領域２１０が設けられる面の反対側に設けられた面であることに留意すべきである。
【００２４】
なお、投写型映像表示装置１００のサイズは、２００ｍｌ〜２ｌの容積を有するペットボトル程度である。例えば、投写型映像表示装置１００の容積は、９００ｍｌ程度であり、投写型映像表示装置１００の重量は、８００ｇ程度である。投写型映像表示装置１００によって表示される映像のサイズは、例えば、２０インチ程度である。また、投写型映像表示装置１００と投写面との距離が非常に近いことに留意すべきである。
【００２５】
（投写型映像表示装置の光学構成）
以下において、第１実施形態に係る投写型映像表示装置の光学構成について、図面を参照しながら説明する。図３は、第１実施形態に係る投写型映像表示装置１００の光学構成を主として示す図である。
【００２６】
図３に示すように、投写型映像表示装置１００は、投写光学系１１０と、照明光学系１２０と、冷却ファン１３０と、バッテリ１４０と、電源基板１５０と、主制御基板１６０と、操作基板１７０とを有する。また、投写型映像表示装置１００は、DMD７０と、反射プリズム８０とを有する。
【００２７】
投写光学系１１０は、DMD７０から出射された色成分光（映像光）を投写面に投写する。具体的には、投写光学系１１０は、投写レンズ群１１１と、反射ミラー１１２とを有する。
【００２８】
投写レンズ群１１１は、DMD７０から出射された色成分光（映像光）を反射ミラー１１２側に出射する。投写レンズ群１１１は、投写光学系１１０の光軸Ｌを中心とする略円形形状のレンズ、投写光学系１１０の光軸Ｌを中心とする略円形形状の一部分によって構成される形状（例えば、下半分の半円形状）のレンズなどを含む。
【００２９】
なお、投写レンズ群１１１に含まれるレンズの径は、反射ミラー１１２に近いほど大きいことに留意すべきである。
【００３０】
反射ミラー１１２は、投写レンズ群１１１から出射された色成分光（映像光）を反射する。反射ミラー１１２は、映像光を集光した上で、映像光を広角化する。例えば、反射ミラー１１２は、投写レンズ群１１１側に凹面を有する非球面ミラーである。ここで、反射ミラー１１２は、投写光学系１１０の光軸Ｌを中心とする略円形形状の一部分によって構成される形状（例えば、下半分の半円形状）を有する。
【００３１】
反射ミラー１１２で集光された映像光は、筐体２００に設けられた透過領域２１０を透過する。筐体２００に設けられた透過領域２１０は、反射ミラー１１２によって映像光が集光される位置近傍に設けられることが好ましい。
【００３２】
照明光学系１２０は、光源１０と、ダイクロイックプリズム３０と、ロッドインテグレータ４０と、ミラー５１と、ミラー５２と、レンズ６１と、レンズ６２と、レンズ６３とを有する。
【００３３】
光源１０は、複数色の色成分光を個別に出射するように構成される。また、光源１０には、光源１０で生じる熱を放熱するヒートシンクが併設されていてもよい。なお、光源１０は、例えば、光源１０Ｒ、光源１０Ｇ及び光源１０Ｂによって構成される。
【００３４】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｒには、金属などのように放熱性が良好な部材によって構成されるヒートシンクが併設されてもよい。
【００３５】
光源１０Ｇは、緑成分光Ｇを出射する光源であり、例えば、緑ＬＥＤや緑ＬＤである。光源１０Ｇには、金属などのように放熱性が良好な部材によって構成されるヒートシンクが併設されてもよい。
【００３６】
光源１０Ｂは、青成分光Ｂを出射する光源であり、例えば、青ＬＥＤや青ＬＤである。光源１０Ｂには、金属などのように放熱性が良好な部材によって構成されるヒートシンクが併設されてもよい。
【００３７】
ダイクロイックプリズム３０は、光源１０Ｒから出射される赤成分光Ｒ、光源１０Ｇから出射される緑成分光Ｇ、光源１０Ｂから出射される青成分光Ｂを合成する。
【００３８】
ロッドインテグレータ４０は、光入射面と、光出射面と、光入射面の外周から光出射面の外周に亘って設けられる光反射側面とを有する。ロッドインテグレータ４０は、ダイクロイックプリズム３０から出射された色成分光を均一化する。詳細には、ロッドインテグレータ４０は、光反射側面で色成分光を反射することによって、色成分光を均一化する。なお、ロッドインテグレータ４０は、ガラスなどによって構成される中実ロッドであってもよく、ミラー面によって内面が構成される中空ロッドであってもよい。
【００３９】
例えば、第１実施形態では、ロッドインテグレータ４０は、光源１０から出射される光の進行方向に向けて、光の進行方向に垂直な断面が大きくなるテーパ形状を有する。但し、実施形態は、これに限定されるものではない。ロッドインテグレータ４０は、光源１０から出射される光の進行方向に向けて、光の進行方向に垂直な断面が小さくなる逆テーパ形状を有してもよい。
【００４０】
ミラー５１及びミラー５２は、ロッドインテグレータ４０から出射された光をDMD７０に導くために、光の光路を折り曲げる反射ミラーである。
【００４１】
レンズ６１、レンズ６２及びレンズ６３は、光源１０から出射された色成分光の拡大を抑制しながら、色成分光をDMD７０上に略結像するリレーレンズである。
【００４２】
冷却ファン１３０は、筐体２００の外部に連通しており、筐体２００内の熱を放出するように構成される。或いは、冷却ファン１３０は、筐体２００の外部の空気を筐体２００内に送り込むように構成される。例えば、冷却ファン１３０は、光源１０の近傍に設けられており、光源１０を冷却するように構成される。
【００４３】
バッテリ１４０は、投写型映像表示装置１００に供給すべき電力を蓄積する。
【００４４】
電源基板１５０は、バッテリ１４０に接続されており、ＡＣ電力をＤＣ電力に変換する電力変換回路を有する。
【００４５】
主制御基板１６０は、投写型映像表示装置１００の動作を制御する主制御回路（後述する制御ユニット３００）を有する。
【００４６】
操作基板１７０は、投写型映像表示装置１００に設けられる操作部（ボタンなど）に接続されており、操作部から入力される操作信号を主制御基板１６０（主制御回路）に伝達する。
【００４７】
DMD７０は、複数の微小ミラーによって構成されており、複数の微小ミラーは可動式である。各微小ミラーは、基本的に１画素に相当する。DMD７０は、各微小ミラーの角度を変更することによって、色成分光が有効光として投写光学系１１０側に導かれるように色成分光を反射するか否かを切り替える。
【００４８】
反射プリズム８０は、照明光学系１２０から出射される光をDMD７０側に透過する。一方で、反射プリズム８０は、DMD７０から出射される光を投写光学系１１０側に反射する。
【００４９】
（制御ユニットの構成）
以下において、第１実施形態に係る制御ユニットについて、図面を参照しながら説明する。図４は、第１実施形態に係る制御ユニット３００を示すブロック図である。制御ユニット３００は、投写型映像表示装置１００に設けられており、投写型映像表示装置１００を制御する。
【００５０】
なお、制御ユニット３００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する複数の画素毎に入力される信号である。
【００５１】
図４に示すように、制御ユニット３００は、映像信号受付部３１０と、素子制御部３２０と、光学系制御部３３０と、記憶部３５０と、検出部３６０と、指示部３７０とを有する。
【００５２】
映像信号受付部３１０は、ＤＶＤやＴＶチューナなどの外部装置（不図示）から映像入力信号を受付ける。
【００５３】
素子制御部３２０は、映像入力信号を映像出力信号に変換して、映像出力信号に基づいて、DMD７０を制御する。また、素子制御部３２０は、投写面上に投写される映像の形状の補正を行う機能（例えば、台形補正機能）を有する。
【００５４】
また、素子制御部３２０は、DMD７０の制御によって、投写面上に投写される映像の向きを回転する機能を有する。例えば、素子制御部３２０は、ユーザ操作に応じて、投写面上に投写される映像の向きを回転する。或いは、投写型映像表示装置１００が投写面の形状を検出することが可能である場合には、素子制御部３２０は、投写面上に投写される映像のサイズ及び投写面の形状に応じて、投写面上に投写される映像の向きを回転する。
【００５５】
さらに、素子制御部３２０は、DMD７０の制御によって、投写面上に投写される映像のサイズを調整する機能（ズーム調整機能）を有する。例えば、素子制御部３２０は、ユーザ操作に応じて、DMD７０を制御して、投写面上に投写される映像のズームを調整する。
【００５６】
ここで、投写面上に投写される映像は、一般的に、略矩形形状を有する。投写面上に投写される映像は、筐体２００に最も近い側に設けられた近接辺を含む。また、投写面上に投写される映像は、近接辺の両端に隣接する１対の隣接辺を有する。
【００５７】
素子制御部３２０は、近接辺を基準として、投写面上に投写される映像のズームを調整する。或いは、素子制御部３２０は、近接辺に加えて、１対の隣接辺のうち、いずれか一方の隣接辺を基準として、投写面上に投写される映像のズームを調整する。
【００５８】
なお、ユーザ操作は、例えば、筐体２００に設けられたボタン操作、投写型映像表示装置１００に接続された装置（例えば、パーソナルコンピュータなど）の操作である。
【００５９】
光学系制御部３３０は、投写光学系１１０に設けられるレンズ群をシフトする。例えば、光学系制御部３３０は、レンズ群のシフトによって、投写面上に投写される映像のフォーカスを調整する。なお、光学系制御部３３０は、レンズ群のシフトによって、投写面上に投写される映像のズームを調整していてもよい。
【００６０】
なお、素子制御部３２０及び光学系制御部３３０は、投写面上に投写される映像を調整する調整部３４０を構成することに留意すべきである。また、ここでは、光学系制御部３３０が設けられるケースについて例示したが、光学系制御部３３０が設けられていなくてもよい。
【００６１】
記憶部３５０は、投写面上に設けられる特定領域と投写型映像表示装置１００に対する処理内容とを対応付ける情報を記憶する。
【００６２】
ここで、特定領域は、投写型映像表示装置１００（投写光学系１１０）から出射される光が投写される投写領域内に設けられていてもよく、投写領域外に設けられていてもよい。例えば、特定領域は、投写領域の４辺である。或いは、特定領域は、投写領域の４隅である。
【００６３】
ここで、特定領域は、投写領域の内側と投写領域の外側との境界領域（例えば、投写領域の４辺、投写領域の４隅）であることが好ましい。このような境界領域では、輝度の変化が大きいため、特定領域において光を遮光する物体を容易に検出できることに留意すべきである。
【００６４】
また、処理内容は、投写型映像表示装置１００に実行させるべき処理である。例えば、処理内容は、投写型映像表示装置１００の電源ＯＮ／OFFの切り替え、投写領域に投写される映像の回転、投写領域に投写される映像の再生／停止の切り替え、投写型映像表示装置１００に設けられるモードの切り替えなどである。また、処理内容は、例えば、投写領域に投写される映像のページ送り、投写領域に投写される映像のページ戻り、投写型映像表示装置１００の設定（明るさ調整やコントラスト調整）を変更するためのメニュー呼び出しなどである。
【００６５】
検出部３６０は、特定領域において光を遮光する物体（例えば、ユーザの手など）を検出する。具体的には、第１実施形態では、検出部３６０は、特定領域において、投写型映像表示装置１００（投写光学系１１０）から出射される光を遮光する物体を検出することが好ましい。すなわち、特定領域は、投写領域内に設けられることが好ましい。
【００６６】
検出部３６０は、例えば、特定領域における明るさの変化を検出可能に構成された撮像素子である。或いは、検出部３６０は、例えば、特定領域における明るさの変換を検出可能に構成された照度センサであってもよい。照度センサは、特定領域のみをカバーする指向性を有することが好ましい。
【００６７】
ここで、検出部３６０は、投写面に投写される映像のズームの調整と連動して、検出部３６０の検出範囲（すなわち、特定領域）を調整する。言い換えると、検出部３６０は、投写面に投写される映像と検出範囲（すなわち、特定領域）との相対的な位置関係を維持しながら、検出範囲（すなわち、特定領域）を調整する。
【００６８】
指示部３７０は、特定領域において光を遮光する物体の検出時間が一定期間以上である場合に、特定領域と対応付けられる処理内容の実行を指示する。具体的には、投写型映像表示装置１００内で処理が完結する処理内容については、指示部３７０は、投写型映像表示装置１００に設けられる機能ブロック（例えば、電源ブロックなど）に対して、特定領域と対応付けられる処理内容の実行を指示する。或いは、投写型映像表示装置１００内で処理が完結しない処理内容については、他の装置（例えば、投写型映像表示装置１００に接続されたパーソナルコンピュータなど）に対して、特定領域と対応付けられる処理内容の実行を指示する。
【００６９】
（ズームの調整例）
以下において、第１実施形態に係るズームの調整例について、図面を参照しながら説明する。図５〜図７は、第１実施形態に係るズームの調整例を示す図である。
【００７０】
ここでは、投写面上に投写される映像を映像５１０から映像５２０に縮小するケースについて例示する。縮小前の映像５１０は、近接辺５１１及び１対の隣接辺５１２（隣接辺５１２Ａ及び隣接辺５１２Ｂ）を含む。また、縮小後の映像５２０は、近接辺５２１及び１対の隣接辺５２２（隣接辺５２２Ａ及び隣接辺５２２Ｂ）を含む。
【００７１】
調整部３４０（素子制御部３２０）は、図５に示すように、近接辺５１１（近接辺５２１）を基準として、投写面上に投写される映像を縮小する。
【００７２】
或いは、調整部３４０（素子制御部３２０）は、図６に示すように、近接辺５１１（近接辺５２１）及び隣接辺５１２Ａ（隣接辺５２２Ａ）を基準として、投写面上に投写される映像を縮小してもよい。
【００７３】
また、調整部３４０（素子制御部３２０）は、図７に示すように、投写面上に投写される映像を映像５１０から映像５２０に縮小した上で、投写面上に投写される映像の向き映像５２０から映像５３０に回転してもよい。
【００７４】
（作用及び効果）
第１実施形態では、調整部３４０（素子制御部３２０）は、筐体２００に最も近い側に設けられた近接辺を基準として、投写面上に投写される映像のズームを調整する。従って、投写型映像表示装置１００（筐体２００）に近い側においてデッドスペースが生じることを抑制して、投写面（基準面）を有効に利用することができる。
【００７５】
或いは、調整部３４０（素子制御部３２０）は、近接辺に加えて、１対の隣接辺のうち、いずれか一方の隣接辺を基準として、投写面上に投写される映像のズームを調整してもよい。このようなケースにおいても、投写型映像表示装置１００（筐体２００）に近い側においてデッドスペースが生じることを抑制して、投写面（基準面）を有効に利用することができる。
【００７６】
第１実施形態では、調整部３４０（素子制御部３２０）は、投写面上に投写される映像の向きを回転する。従って、限られたスペースにおいて、投写面に投写される映像を拡大することができる。
【００７７】
第１実施形態では、検出部３６０は、投写面に投写される映像のズームの調整と連動して、検出部３６０の検出範囲（すなわち、特定領域）を調整する。従って、投写面に投写される映像のズームを調整した場合であっても、ユーザにとって違和感なく、インタラクティブ操作を行うことができる。
【００７８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７９】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型の液晶パネルであってもよく、透過型の液晶パネルであってもよい。
【符号の説明】
【００８０】
１０…光源、３０…ダイクロイックプリズム、４０…ロッドインテグレータ、５１〜５２…ミラー、６１〜６３…レンズ、７０…DMD、８０…反射プリズム、１００…投写型映像表示装置、１１０…投写光学系、１１１…投写レンズ群、１１２…反射ミラー、１２０…照明光学系、１３０…冷却ファン、１４０…バッテリ、１５０…電源基板、１６０…主制御基板、１７０…操作基板、２００…筐体、２１０…透過領域、３００…制御ユニット、３１０…映像信号受付部、３２０…素子制御部、３３０…光学系制御部、３４０…調整部、３５０…記憶部、３６０…検出部、３７０…指示部
【図１】
2011248271.tif 000003
【図２】
2011248271.tif 000004
【図３】
2011248271.tif 000005
【図４】
2011248271.tif 000006
【図５】
2011248271.tif 000007
【図６】
2011248271.tif 000008
【図７】
2011248271.tif 000009